(57)【要約】
【課題】　振動を体感できるようにするとともに、指への負担を軽減させることを目的とする。
【解決手段】　パイプ状のカーボンフレーム５の外周面に、トリガー２ｂが一体に形成されたリールシート２が設けられる。リールシート２のトリガー２ｂの前方には指当て用の穴７が形成され、カーボンフレーム５の外周面が露出するようにしている。穴７の開口には面取り加工が施され、穴７の側面７ａの端部からリールシート２の表面にかけて傾斜面７ｂが形成されており、穴７内に当該穴７の少なくとも一部を閉塞するようにプレート８が嵌合或いは接着により固定される。プレート８の厚みは穴７の側面７ａの高さと略同一とされ、リールシート２の厚みに比べて肉薄とされる。
【選択図】　図１
0003100557.tif 000002
【実用新案登録請求の範囲】
【請求項１】
　パイプ状のフレームの外周面にリールシートを設ける構成を有するグリップを備えた釣り竿であって、
　上記フレームの外周面が露出するように上記リールシートに形成された穴と、
　上記穴の少なくとも一部を閉塞するように上記穴内に設けられたプレートとを備えることを特徴とする釣り竿。
【請求項２】
　上記リールシートには指を掛けるためのトリガーが一体に形成されており、上記穴が上記トリガーの前方に形成されていることを特徴とする請求項１に記載の釣り竿。
【請求項３】
　上記穴が上記リールシートのリール取り付け部に形成されていることを特徴とする請求項１又は２に記載の釣り竿。
【請求項４】
　上記穴の開口に面取り加工を施して、上記穴の側面の端部から上記リールシートの表面にかけて傾斜面が形成されることを特徴とする請求項１〜３のいずれか１項に記載の釣り竿。
【請求項５】
　上記プレートの厚みは上記穴の側面の高さと略同一であることを特徴とする請求項４に記載の釣り竿。
【請求項６】
　上記プレートは上記穴と同形状を有することを特徴とする請求項１〜５のいずれか１項に記載の釣り竿。
【請求項７】
　上記プレートに複数の小孔が形成されていることを特徴とする請求項６に記載の釣り竿。
【請求項８】
　上記プレートは上記穴に対して前部及び後部のみで接する長板形状を有することを特徴とする請求項１〜５のいずれか１項に記載の釣り竿。
【請求項９】
　上記プレートは上記穴に対して複数箇所で接する形状を有することを特徴とする請求項１〜５のいずれか１項に記載の釣り竿。
【請求項１０】
　上記リールシートの材質と上記プレートの材質とを異ならせることを特徴とする請求項１〜９のいずれか１項に記載の釣り竿。
【請求項１１】
　グリップにロッドを装着するようにした釣り竿であって、
　上記グリップは、パイプ状のフレームの外周面に設けられたベイトキャスティングリール用のリールシートと、上記リールシートの前方に設けられたフロントグリップ体と、上記リールシートの後方に設けられたリヤグリップ体とを少なくとも備え、
　上記リールシートのトリガーの前方に上記フレームの外周面が露出するように指当て用の穴が形成されており、その穴内に当該穴の少なくとも一部を閉塞するように肉薄のプレートを設けることを特徴とする釣り竿。
【考案の詳細な説明】
【技術分野】
【０００１】
　本考案は釣り竿に関し、例えばベイトキャスティングリール用のリールシートを備えた釣り竿に適用して好適なものである。
【背景技術】
【０００２】
　ベイトキャスティングリール用のリールシートを備えた釣り竿では、リールシートの下側に指を掛けるためのトリガーが設けられる。この場合、右手でキャスト後、図８、９に示すように左手に持ち替えて、リールシートの下側にあるトリガーに薬指をかけ、手のひらでベイトキャスティングリール１０１を包むように持つ。
【考案の開示】
【考案が解決しようとする課題】
【０００３】
　この種の釣り竿においては、図８、９に示すように左手の手のひらでリール１０１を包むように持ってルアーをリトリーブしてアクションさせるが、この場合に、リール１０１を持つ左手の指でルアー側から伝わる振動を体感できるようにするのが理想的である。
【０００４】
　かかる点に鑑みて、後述するように、リールシートに穴を形成しておき、その穴に指を当てるようにして振動に対する感度を高めることが考えられる。しかしながら、指を長時間にわたって穴に当てていると、指が痛くなってしまうことがある。
【０００５】
　また、この種の釣り竿においては、操作性を向上させるためにも軽量化を図ることが要求される。
【０００６】
　本考案は上記のような点に鑑みてなされたものであり、軽量化を図ることができ、さらには、指により振動を体感できるようにするとともに、指への負担を軽減させることを目的とする。
【課題を解決するための手段】
【０００７】
　本考案の釣り竿は、パイプ状のフレームの外周面にリールシートを設ける構成を有するグリップを備えた釣り竿であって、上記フレームの外周面が露出するように上記リールシートに形成された穴と、上記穴の少なくとも一部を閉塞するように上記穴内に設けられたプレートとを備える点に特徴を有する。
【０００８】
　また、本考案の釣り竿の他の特徴とするところは、上記リールシートには指を掛けるためのトリガーが一体に形成されており、上記穴が上記トリガーの前方に形成されている点にある。
【０００９】
　また、本考案の釣り竿の他の特徴とするところは、上記穴が上記リールシートのリール取り付け部に形成されている点にある。
【００１０】
　また、本考案の釣り竿の他の特徴とするところは、上記穴の開口に面取り加工を施して、上記穴の側面の端部から上記リールシートの表面にかけて傾斜面が形成される点にある。この場合に、上記プレートの厚みは上記穴の側面の高さと略同一であるようにすればよい。
【００１１】
　また、本考案の釣り竿の他の特徴とするところは、上記プレートは上記穴と同形状を有する点にある。この場合に、上記プレートに複数の小孔が形成されるようにすればよい。
【００１２】
　また、本考案の釣り竿の他の特徴とするところは、上記プレートは上記穴に対して前部及び後部のみで接する長板形状を有する点にある。
【００１３】
　また、本考案の釣り竿の他の特徴とするところは、上記プレートは上記穴に対して複数箇所で接する形状を有する点にある。
【００１４】
　また、本考案の釣り竿の他の特徴とするところは、上記リールシートの材質と上記プレートの材質とを異ならせる点にある。
【００１５】
　本考案の他の釣り竿は、グリップにロッドを装着するようにした釣り竿であって、上記グリップは、パイプ状のフレームの外周面に設けられたベイトキャスティングリール用のリールシートと、上記リールシートの前方に設けられたフロントグリップ体と、上記リールシートの後方に設けられたリヤグリップ体とを少なくとも備え、上記リールシートのトリガーの前方に上記フレームの外周面が露出するように指当て用の穴が形成されており、その穴内に当該穴の少なくとも一部を閉塞するように肉薄のプレートを設ける点に特徴を有する。
【考案の効果】
【００１６】
　本考案の釣り竿によれば、リールシートに穴を形成して、その穴内にプレートを設けるようにしたので、軽量化を図ることができ、さらには、穴をトリガーの前方に形成することにより、指により振動を体感できるようにするとともに、指への負担を軽減させ、フィット感を得ることができる。
【考案を実施するための最良の形態】
【００１７】
　以下、図面を参照して、本考案による釣り竿の好適な実施形態について説明する。
（第１の実施形態）
　図１、２は第１の実施形態の釣り竿を示す図である。フロントグリップ体１、リールシート２、リヤグリップ体３等によりグリップＧが構成され、そのグリップＧの前端側からロッド（メインブランク）４が挿着される。
【００１８】
　グリップＧの構成を詳細に説明すると、パイプ状のカーボンフレーム５内にロッド４が挿通するとともに、カーボンフレーム５の外周面に、例えばナイロングラス製のリールシート２が設けられる。リールシート２には、ベイトキャスティングリールを取り付けるためのリール取り付け部２ａが形成され、また、リール取り付け部２ａの裏側に指を掛けるためのトリガー２ｂが一体に形成される。
【００１９】
　リールシート２の前端外周面には螺子部２ｃが形成され、その螺子部２ｃにフード６ａを有する筒部材６が螺合する。したがって、図１に示すように、リール１０１をリール取り付け部２ａに載せた状態で、筒部材６を後方にねじ込むことにより、フード６ａで前側脚１０１ａを覆ってリール１０１を固定することができる。
【００２０】
　リールシート２の前方にはフロントグリップ体１が設けられる。また、リールシート２の後方にはリヤグリップ体３が設けられる。これらフロントグリップ体１やリヤグリップ体３は、例えばラバーやコルク等により成形されたものである。なお、この例ではカーボンフレーム５がリールシート２部分にしかないが、リヤグリップ体３側（グリップエンド）まで延びる長尺のものであってもよい。
【００２１】
　ここで、本実施形態の釣り竿では、リールシート２のトリガー２ｂの前方に指当て用の穴７が形成され、カーボンフレーム５の外周面が露出する（図３に示す状態）。図４にも示すように、穴７の開口のうち前方部分及び両側部分には面取り加工が施され、穴７の側面７ａの端部からリールシート２の表面にかけて傾斜面７ｂが形成される。そして、図１、２に示すように、穴７内に当該穴７の少なくとも一部を閉塞するようにプレート８が嵌合或いは接着により固定される。プレート８の厚みは穴７の側面７ａの高さと略同一とされ、リールシート２の厚みに比べて肉薄とされる。
【００２２】
　図５にプレート８の形状例を示す。図５（ａ）は、プレート８が穴７と同形状を有する例である。図５（ｂ）は、穴７と同形状のプレート８に複数の小孔９が形成されている例である。また、図５（ｃ）、（ｄ）は、プレート８が穴７に対して前部及び後部のみで接する長板形状を有する例であり、（ｃ）がプレート８の側部を直線的にしたもの、（ｄ）がプレート８の側部を曲線的にしたものである。また、図５（ｅ）、（ｆ）は、プレート８が穴７に対して複数箇所で接する形状を有する例であり、（ｅ）が３箇所（前部、後方左右側部）に接するもの、（ｆ）が４箇所（前方左右側部、後方左右側部）に接するものである。特に、図５（ｂ）〜（ｆ）に示すようなプレート８を用いることにより、さらなる軽量化を図ることができる。
【００２３】
　また、プレート８の材質としては、例えば金属（アルミニウム、真鍮、チタン、ステンレス等）、カーボン等の合成繊維、天然素材（コルクやバルサといった木材等）、合成樹脂、ラバー等が用いられる。
【００２４】
　ベイトキャスティングリールを使用する場合、上述したように、右手でキャスト後、図８、９に示すように左手に持ち替えて、リールシート２の下側にあるトリガー２ｂに薬指をかけ、手のひらでベイトキャスティングリール１０１を包むように持つ。この場合に、図３に示す状態であれば、左手の中指を穴７に当ててカーボンフレーム５の外周面に接触させることにより、ルアー側から伝わる振動をダイレクトに体感することが可能になり、感度を高めることができる。
【００２５】
　ところが、穴７においては、カーボンフレーム５の外周面とリールシート２の表面との間に大きな段差が形成されることから、指を長時間にわたって当てていると指が痛くなってしまうことがある。
【００２６】
　そこで、図１、２に示すように、リールシート２に形成された穴７に肉薄のプレート８を配設し、中指を傾斜面７ｂに当てるようにしてプレート８に接触させることにより、ダイレクトという意味ではカーボンフレーム５に直接接触させるものに劣るものの、なお高感度性を維持することができるとともに、大きな段差がなくなり指への負担を軽減させ、フィット感を得ることができる。特に、プレート８の材質として、リールシート２の材質（ナイロングラス）よりも振動を伝えやすい材質を適宜選択することにより、感度性を高めることができる。
【００２７】
　また、リールシート２に形成された穴７に肉薄のプレート８を配設するので、独自の意匠効果を発揮するとともに、軽量化を図ることができ、釣り竿の操作性を向上させることができる。特に、プレート８の材質として、リールシート２の材質（ナイロングラス）よりも軽い材質を適宜選択することにより、さらなる軽量化を図ることができる。
（第２の実施形態）
　図６、７は第２の実施形態の釣り竿を示す図である。第２の実施形態では、第１の実施形態のようにリールシート２のトリガー２ｂの前方に穴７が形成されるのに加えて、リール取り付け部２ａにも穴１０が形成され、穴１０内にプレート１１が固定される。以下、上記第１の実施形態の釣り竿との相違点を中心に説明し、上記第１の実施形態の釣り竿と同一の構成要素には同一の符号を付して、その詳細な説明は省略する。なお、図６ではトリガー７ｂの前方の穴７にプレート８が固定されていないが、上記第１の実施形態で述べたようにプレート８が固定される。
【００２８】
　図６、７に示すように、リールシート２のリール取り付け部２ａに穴１０が形成され、カーボンフレーム５の外周面が露出する。穴１０の開口のうち前方部分には面取り加工が施され、穴１０の側面１０ａの端部からリールシート２の表面にかけて傾斜面１０ｂが形成される。そして、穴１０内に当該穴１０の少なくとも一部を閉塞するようにプレート１１が嵌合或いは接着により固定される（プレート１１の形状については図５を参照）。プレート１１の厚みは穴１０の側面の高さと略同一とされ、リールシート２の厚みに比べて肉薄とされる。
【００２９】
　第２の実施形態のようにリールシート２に形成された穴１０に肉薄のプレート１１を配設することにより、独自の意匠効果を発揮するとともに、軽量化を図ることができ、釣り竿の操作性を向上させることができる。なお、第２の実施形態では、リールシート２のトリガー２ｂの前方及びリール取り付け部２ａにそれぞれ穴７、１０が形成される例を説明したが、リール取り付け部２ａだけに穴１０が形成される場合でも、軽量化という効果を得ることはできる。
【００３０】
　なお、上記実施形態において示した各部の形状及び構造は、何れも本考案を実施するにあたっての具体化のほんの一例を示したものに過ぎず、これらによって本考案の技術的範囲が限定的に解釈されてはならないものである。すなわち、本考案はその精神、又はその主要な特徴から逸脱することなく、様々な形で実施することができる。例えば、グリップＧの具体的構成は図示したものに限られるものではない。
【図面の簡単な説明】
【００３１】
【図１】第１の実施形態における釣り竿を示す側面図である。
【図２】第１の実施形態における釣り竿を示す底面図である。
【図３】第１の実施形態における釣り竿のプレートを装着する前の状態を示す図である。
【図４】穴の周辺を拡大した図である。
【図５】プレートの例を示す図である。
【図６】第２の実施形態における釣り竿を示す側面図である。
【図７】第２の実施形態における釣り竿を示す平面図である。
【図８】ベイトキャスティングリール用の釣り竿を説明するための図である。
【図９】ベイトキャスティングリール用の釣り竿を説明するための図である。
【符号の説明】
【００３２】
　Ｇ　　　　　　グリップ
　１　　　　　　フロントグリップ体
　２　　　　　　リールシート
　２ａ　　　　　リール取り付け部
　２ｂ　　　　　トリガー
　２ｃ　　　　　螺子部
　３　　　　　　リヤグリップ体
　４　　　　　　ロッド
　５　　　　　　カーボンフレーム
　６　　　　　　筒体
　６ａ　　　　　フード
　７、１０　　　穴
　７ａ、１０ａ　側面
　７ｂ、１０ｂ　傾斜面
　８、１１　　　プレート
　９　　　　　　小孔
【図１】
0003100557.tif 000003
【図２】
0003100557.tif 000004
【図３】
0003100557.tif 000005
【図４】
0003100557.tif 000006
【図５】
0003100557.tif 000007
【図６】
0003100557.tif 000008
【図７】
0003100557.tif 000009
【図８】
0003100557.tif 000010
【図９】
0003100557.tif 000011